(57)【要約】【課題】配線やコネクタといった接続部材や電装基板の取り外しを容易にし、これら部材の取り付けや取り外し時の接続不良や、静電気による損傷を広範に防止し、作業の容易化や作業時間の短縮等、作業性を高めることが可能な画像形成装置を提供する。【解決手段】画像形成装置１００において、作像駆動ユニット２３ａ〜２３ｄと接続されるコネクタ２７ａが設けられた高圧基板２５ａ〜２５ｄは第１電装箱５１に、電源基板３１ａや制御基板３１ｂは第２電装箱５２に配設されている。第１電装箱５１の下側側面部５１ｄには摺動部材５７が、第２電装箱５２の上側側面部５２ｂには、摺動部材５７を摺動可能に支持するガイド部材５９が設けられており、第２電装箱５２の第２ヒンジ部３５が背面側板２１の第１ヒンジ部３４と開閉可能に連結されている。【選択図】図４
2009128562.tif 000002
【特許請求の範囲】
【請求項１】
構成部材が作動することにより画像形成を行う画像形成装置において、
前記構成部材と電気的に接続される接続端子を有する第１電装基板と、該第１電装基板と電気的に接続される第２電装基板と、
前記第１電装基板が配設された第１電装基板支持部材と、
前記第２電装基板が配設されており、且つ前記第１電装基板支持部材を、前記接続端子が前記構成部材と接続する第１の位置と前記構成部材から取り外される第２の位置とに摺動可能に支持する第２電装基板支持部材と、
が設けられたことを特徴とする画像形成装置。
【請求項２】
前記第２電装基板支持部材の一端が装置本体に開閉可能に軸支され、前記第１電装基板支持部材が前記第２電装基板支持部材と一体となって開閉することを特徴とする請求項１に記載の画像形成装置。
【請求項３】
前記第１電装基板支持部材が前記第１及び第２の位置にそれぞれ摺動することにより、前記第１及び第２電装基板支持部材の開閉をロック及びロック解除するロック機構が設けられたことを特徴とする請求項２に記載の画像形成装置。
【請求項４】
前記ロック機構は、装置本体に設けられた係合溝と、前記第１電装基板支持部材に設けられ前記係合溝と係合可能な係合突起と、から成ることを特徴とする請求項３に記載の画像形成装置。
【請求項５】
前記第１電装基板支持部材には、画像形成部に駆動電力を供給する高圧基板が配設されたことを特徴とする請求項１〜４のいずれかに記載の画像形成装置。
【発明の詳細な説明】
【技術分野】
【０００１】
本発明は、デジタル複写機、レーザプリンタ等の電子写真法を用いた画像形成装置に関し、特に、装置本体の作像駆動ユニットや電装基板の装着方法に関する。
【背景技術】
【０００２】
電子写真法を用いたカラー画像形成装置においては、例えば、画像形成装置本体内に異なる４色（シアン、マゼンタ、イエロー及び黒色）の画像に対応して、４つの画像形成部が配設されている。これらの画像形成部に設けられた各感光体上に、それぞれ帯電、露光、現像の各工程によりシアン、マゼンタ、イエロー及び黒色のトナー像が順次形成され、中間転写ベルト又は搬送ベルトが各感光体と接触することにより、感光体表面上に形成されたトナー像が順次転写される。
【０００３】
各トナー像は、中間転写ベルト上に一次転写された後、搬送された用紙上に二次転写され、若しくは搬送ベルト上を搬送された用紙に直接転写された後、定着工程により永久像とされる。
【０００４】
このような画像形成装置、特に高速機や大型機においては、図８に示すように、画像形成装置１００の前面側板２０と背面側板２１の間に画像形成部Ｐａ〜Ｐｄが配設されており、背面側板２１における画像形成部Ｐａ〜Ｐｄと反対側面には、背面側板２１を挟んで画像形成部Ｐａ〜Ｐｄの各端部に接続し、これらを駆動するための作像駆動ユニット２３ａ、２３ｂ、２３ｃ及び２３ｄが配設され、作像駆動ユニット２３ａ〜２３ｄの更に背面側には、作像駆動ユニット２３ａ〜２３ｄに駆動電力を供給する高圧基板２５ａ、２５ｂ、２５ｃ及び２５ｄ等が配設されている。
【０００５】
また、高圧基板２５ａ〜２５ｄの更に背面側には、画像形成に必要な種々の電気回路を有する電装基板３１が複数（ここでは電源基板３１ａ、制御基板３１ｂ）備えられ、背面側に開口部を有する平たい箱状部材から成る電装箱３３が、背面側板２１の左側側面部を片側支点として開閉可能に配設されている。背面側板２１の左側側面部の上下方向に沿って、第１ヒンジ部３４が２箇所内側に突設され、電装箱３３の左側側面部には、第１ヒンジ部３４と連結される第２ヒンジ部３５が外側に突設されている。
【０００６】
また、図９に示すように、第１ヒンジ部３４には、ピン３４ａが２つ垂直方向に沿って上方に突設され、第２ヒンジ部３５には、ピン３４ａと係合可能な係合孔３５ａが設けられており、係合孔３５ａがピン３４ａと係合することにより、第１ヒンジ部３４と第２ヒンジ部３５とが連結され、図１０に示すように電装箱３３が開閉可能となっている。
【０００７】
図１１には、図８を左側から見た側面図を示し、図１２には、図１１に示された各部材の配設順序を示すが、背面側板２１から装置本体背面側（図の右側）に向かって、高圧基板２５ａ〜２５ｄ、電装箱３３の順に配設され、これらは図１２の矢印に示すように、高圧基板２５ａ〜２５ｄ、電装箱３３の順に取り付けられるようになっている。また、図１２に示すように、高圧基板２５ａ〜２５ｄには、コネクタ２７ａや配線２７ｂ（一点鎖線）が配設されており、コネクタ２７ａは作像駆動ユニット２３〜２３ｄに接続され、配線２７ｂは電源用基板３１ａや制御基板３１ｂと接続されるようになっている。また、電源用基板３１ａは、電源コンセント２９（図８参照）に接続されている。
【０００８】
そして、出荷後における定期点検や修理等において作像駆動ユニット２３ａ〜２３ｄ等の構成部品の確認や交換をする際には、まず電装箱３３を開け、次に高圧基板２５ａ〜２５ｄに接続しているコネクタ２７ａや配線２７ｂ等の接続部材２７を取り外し、その後、さらに高圧基板２５ａ〜２５ｄを取り外した後、作像駆動ユニット２３ａ〜２３ｄにアクセス可能となる。
【０００９】
このように、作像駆動ユニット２３ａ〜２３ｄにアクセスするためには、背面側に配置された電装箱３３から順次開放若しくは取り外す必要があるため、作業が煩雑になって作業時間も長くなる、或いは取り外したコネクタや配線を再び取り付ける際に、誤って接続すると装置本体の破損につながるおそれもある。
【００１０】
そこで、このような構成部材の調整やメンテナンスを簡単にする方法が提案されている。例えば、特許文献１には、装置本体の外郭面に画像形成のための駆動源及び電装基板を備える画像形成装置において、駆動源（作像駆動ユニット）及び電気回路基板（電装基板）に被さるように開閉可能な基板支持部材を装置本体に取り付け、基板支持部材にコントロール基板を収納することにより、駆動源やより内部に配置された基板を露出させることを可能とし、複雑な取り外し作業を行うことなく簡単に調整作業やメンテナンスを行うことを可能とする方法が開示されている。
【特許文献１】特開２００１−３４７７２３号公報
【発明の開示】
【発明が解決しようとする課題】
【００１１】
しかし、特許文献１の方法では、作像駆動ユニットや高圧基板等を露出させることは可能となるが、基板支持部材にはコントロール基板が収納されているのみであり、高圧基板等その他の電装基板を容易に取り外すことができない。
【００１２】
このため、その他の電装基板の取り外しや取り付けの際、配線の接続不良や作業時に作業者が触れることによって生じる静電気等による影響を受け、画像形成装置が損傷したり、作業の煩雑さ作業時間の延長等の不具合につながるおそれがある。特に、高圧基板は、配線の接続不良や静電気の影響を受け易いため、これらの不具合が発生し易い。
【００１３】
本発明は、上記問題点に鑑み、配線やコネクタといった接続部材や電装基板の取り外しを容易にし、これら部材の取り付けや取り外し時の接続不良や、静電気による損傷を広範に防止し、作業の容易化や作業時間の短縮等、作業性を高めることが可能な画像形成装置を提供することを目的とする。
【課題を解決するための手段】
【００１４】
上記目的を達成するために本発明は、構成部材が作動することにより画像形成を行う画像形成装置において、前記構成部材と電気的に接続される接続端子を有する第１電装基板と、該第１電装基板と電気的に接続される第２電装基板と、前記第１電装基板が配設された第１電装基板支持部材と、前記第２電装基板が配設されており、且つ前記第１電装基板支持部材を、前記接続端子が前記構成部材と接続する第１の位置と前記構成部材から取り外される第２の位置とに摺動可能に支持する第２電装基板支持部材と、が設けられたことを特徴としている。
【００１５】
また、本発明は、前記第２電装基板支持部材の一端が装置本体に開閉可能軸支され、前記第１電装基板支持部材が前記第２電装基板支持部材と一体となって開閉することを特徴としている。
【００１６】
また、本発明は、前記第１電装基板支持部材が前記第１及び第２の位置にそれぞれ摺動することにより、前記第１及び第２電装基板支持部材の開閉をロック及びロック解除するロック機構が設けられたことを特徴としている。
【００１７】
また、本発明は、前記ロック機構は、装置本体に設けられた係合溝と、前記第１電装基板支持部材に設けられ前記係合溝と係合可能な係合突起と、から成ることを特徴としている。
【００１８】
また、本発明は、前記第１の電装基板支持部材には、画像形成部に駆動電力を供給する高圧基板が配設されたことを特徴としている。
【発明の効果】
【００１９】
本発明の第１の構成によれば、構成部材が作動することにより画像形成を行う画像形成装置において、上記構成部材と電気的に接続される接続端子を有する第１電装基板と、該第１電装基板と電気的に接続される第２電装基板と、第１電装基板が配設された第１基板支持部材と、第２電装基板が配設されており、第１電装基板支持部材を第１及び第２の位置に摺動可能に支持する第２電装基板支持部材と、を設けることにより、第１電装基板支持部材を摺動させるだけで、上記構成部材に対する第１電装基板の接続及び取り外しが可能となる。
【００２０】
また、かかる電装基板の接続や取り外しの際、該電装基板から他の構成部材や電装基板等に接続された配線を取り外す必要がない。加えて、かかる電装基板の接続及び取り外しの際、作業者が第１電装基板、接続端子や配線に触れることがないため、静電気の発生を防止することができる。これにより、上記構成部材に対する電装基板の接続及び取り外しが容易且つ安全となる。また、このように容易且つ安全な作業を行うことができるため、作業の煩雑さを回避し、作業時間を短縮する等、作業性を向上させることができる。
【００２１】
また、本発明の第２の構成によれば、上記第１の構成の画像形成装置において、第２電装基板支持部材の一端を装置本体に開閉可能に軸支し、第１電装基板支持部材が第２電装基板支持部材と一体となって開閉することにより、片側支点で第１及び第２電装基板支持部材を開閉することができるため、より容易且つ安全に、上記構成部材等の内部部材にアクセスすることができる。
【００２２】
また、本発明の第３の構成によれば、上記第２の構成の画像形成装置において、第１電装基板支持部材が第１及び第２の位置にそれぞれ摺動することにより、第１及び第２電装基板支持部材の開閉をロック可能なロック機構を設けることにより、不意に第１電装基板支持部材及び第２電装基板支持部材が開いて、上記接続端子が構成部材から外れることを防止することができ、より安全となる。
【００２３】
また、本発明の第４の構成によれば、上記第３の構成の画像形成装置において、ロック機構として、装置本体に設けられた係合溝と、第１電装基板支持部材に設けられ係合溝と係合可能な係合突起と、を用いることにより、上記接続端子を構成部材から外さないと第１電装基板支持部材及び第２電装基板支持部材を開けることができないため、より安全となる。
【００２４】
また、本発明の第５の構成によれば、上記第１〜第４のいずれかの構成の画像形成装置において、第１電装基板支持部材に、画像形成部に駆動電力を供給する高圧基板を配設することにより、特に接続や離脱不良による装置本体の損傷を起こし易い高圧基板の接続及び取り外しを、他の電装基板から分離し、高圧基板のみを容易且つ安全に接続及び取り外すことができるため、一層容易且つ安全となり、効果的である。
【発明を実施するための最良の形態】
【００２５】
以下に本発明の実施形態を図面を参照して説明する。図１は、本発明の一例の画像形成装置を示す概略図である。画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（マゼンタ、シアン、イエロー及び黒色）の画像に対応して設けられており、それぞれ帯電、露光、現像及び転写の各工程によりマゼンタ、シアン、イエロー及び黒色の画像を順次形成する。
【００２６】
この画像形成部Ｐａ〜Ｐｄには、各色の可視像（トナー像）を担持する感光体ドラム１ａ、１ｂ、１ｃ及び１ｄが配設されており、これらの感光体ドラム１ａ〜１ｄ上に形成されたトナー像が、駆動手段（図示せず）により図１において反時計回り（矢印方向）に回転しながら各画像形成部に隣接して移動する搬送ベルト５０によって搬送された用紙Ｐ上に順次転写され、さらに、定着部７において用紙Ｐ上に定着された後、装置本体より排出される構成となっている。感光体ドラム１ａ〜１ｄを図１において時計回りに回転させながら、各感光体ドラム１ａ〜１ｄに対する画像形成プロセスが実行される。
【００２７】
トナー像が転写される用紙Ｐは、装置下部の用紙カセット１６内に収容されており、給紙ローラ１２ａ、給紙ローラ対１２ｂ、１２ｃ及びレジストローラ対１２ｄを介して各画像形成部Ｐａ〜Ｐｄへと搬送される。搬送ベルト５０には誘電体樹脂製のシートが用いられ、そのフランジ部を互いに重ね合わせて接合しエンドレス形状にしたベルトや、継ぎ目を有しない（シームレス）ベルトが用いられる。また、従動ローラ１０の上流側には搬送ベルト５０に付着したトナーを除去するためのクリーニングブレード１９が配置されている。
【００２８】
次に、画像形成部Ｐａ〜Ｐｄについて説明する。回転自在に配設された感光体ドラム１ａ〜１ｄの周囲及び上方には、感光体ドラム１ａ〜１ｄを帯電させる帯電器２ａ、２ｂ、２ｃ及び２ｄと、各感光体ドラム１ａ〜１ｄに画像情報を個別に露光するＬＥＤヘッド４ａ〜４ｄと、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００２９】
ユーザにより画像形成開始が入力されると、先ず、帯電器２ａ〜２ｄによって感光体ドラム１ａ〜１ｄの表面を一様に帯電させ、次いでＬＥＤヘッド４ａ〜４ｄによって光照射し、各感光体ドラム１ａ〜１ｄ上に画像信号に応じた静電潜像を形成する。現像ユニット３ａ〜３ｄは、感光体ドラム１ａ〜１ｄに対向配置された現像ローラ（現像剤担持体）を備え、それぞれマゼンタ、シアン、イエロー及び黒色の各色のトナーが補給装置（図示せず）によって所定量充填されている。このトナーは、現像ユニット３ａ〜３ｄの現像ローラにより感光体ドラム１ａ〜１ｄ上に供給され、静電的に付着することにより、ＬＥＤヘッド４ａ〜４ｄからの露光により形成された静電潜像に応じたトナー像が形成される。
【００３０】
そして、搬送ベルト５０に所定の転写電圧で電界が付与された後、転写ローラ６ａ〜６ｄにより感光体ドラム１ａ〜１ｄ上のマゼンタ、シアン、イエロー、及び黒色のトナー像が搬送ベルト５０に搬送された用紙Ｐ上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング部５ａ〜５ｄにより除去される。
【００３１】
搬送ベルト５０は、従動ローラ１０及び駆動ローラ１１に掛け渡されており、駆動モータ（図示せず）による駆動ローラ１１の回転に伴い搬送ベルト５０が反時計回りに回転を開始すると、用紙Ｐがレジストローラ対１２ｄから所定のタイミングで画像形成部Ｐａ〜Ｐｄへ搬送され、各画像形成部において搬送ベルトとのニップ部において用紙Ｐ上に順次画像が転写され、フルカラー画像が形成される。トナー像が転写された用紙Ｐは定着部７へと搬送される。
【００３２】
定着部７に搬送された用紙Ｐは、定着ローラ対１３のニップ部（定着ニップ部）を通過する際に加熱及び加圧されてトナー像が用紙Ｐの表面に定着され、所定のフルカラー画像が形成される。フルカラー画像が形成された用紙Ｐは、排出ローラ１５によって排出トレイ１７に排出される。
【００３３】
図２は、本実施形態の画像形成装置に用いられる電装箱を示す装置本体背面側から見た平面図であり、図３（ａ）は、第１電装箱と第２電装箱との係合部分を示す部分平面図であり、図３（ｂ）は、図３（ａ）の左側から見た部分側面図である。図１、図８〜図１２と共通する部分には共通する符号を付して説明を省略する。
【００３４】
図２に示すように、電装箱５０は、装置本体背面側（図の表面側）に開口する平たい矩形箱状からなり、上側に配置された第１電装箱（第１電装基板支持部材）５１と下側に配置された第２電装箱（第２電装基板支持部材）５２とから構成されている。第１電装箱５１の底面部５１ａには、高圧基板２５ａ〜２５ｄが配設されており、第２電装箱５２の底面部５２ａには、電源基板３１ａ、制御基板３１ｂが配設されており、電源基板３１ａには電源コンセント２９が接続されている。
【００３５】
また、第１電装箱５１の上側側面部５１ｂは、背面側板２１の上側側面部２１ａから所定間隔だけ隔ててこれと略平行に配置されており、上側側面部５１ｂの左側には、係合突起（ロック機構）５５が上方に突設されている。係合突起５５は、後述する背面側板２１に設けられた係合溝（ロック機構）６１と係合可能な位置及び長さに形成されている。
【００３６】
また、図２及び図３に示すように、第１電装箱５１の下側側面部５１ｄの左右には、それぞれ底面部５１ａと垂直方向に沿って底面部５１ａと略同じ位置を一方の端部５７ａとし、反対側の端部５７ｂが第１電装箱５１の開口端より背面側（図３（ｂ）の右側）に突出するよう摺動部材５７が配設されている。摺動部材５７は、図３（ａ）に示すように、断面略コの字状、且つコの字の両端が内側に折り曲げられおり、後述するガイド部材５９と係合し、摺動可能となっている。
【００３７】
一方、第２電装箱５２の左側側面部５２ｃには、背面側板２１の第１ヒンジ部３４のピン３４ａと係合可能な係合孔３５ａを有する第２ヒンジ部３５が配設されている。また、第２電装箱５２の上側側面部５２ｂの上面には、第１電装箱５１の摺動部材５７と係合し、これを摺動可能に支持可能な、断面略Ｔ字状のガイド部材５９が配設されている（図２、図３（ａ）参照）。ガイド部材５９は、第２電装箱５２の底面部５２ａと垂直方向に沿って背面側板２１側の端部５９ａが底面部５２ａより背面側板２１側（図３（ｂ）の左側）に突出しており、反対側の端部５９ｂが第２電装箱５２の開口端と略同じ位置となるよう配設されている。
【００３８】
また、ガイド部材５９は、後述する図４及び図５に示すように、摺動部材５７がガイド部材５９の端部５９ａ側に摺動したときにはコネクタ（接続端子）２７ａが作像駆動ユニット２３ａ〜２３ｄと接続し、端部５９ｂ側に摺動したときにはコネクタ２７ａが作像駆動ユニット２３ａ〜２３ｄから離脱するよう形成されている。この際、上記のように、ガイド部材５９の端部５９ａが第２電装箱５２から突出していることにより、背面側板２１と第２電装箱５２との間隔が広い場合でも、第１電装箱５１をコネクタ２７ａが作像ユニット２３ａ〜２３ｄに接続可能な位置までガイドすることができる。
【００３９】
また、摺動部材５７の端部５７ｂが第１電装箱５１から突出していることにより、第１電装箱５１の底面部５１ａから開口端までの長さが、第２電装箱５２の底面部５２ａから開口端までの長さより短い場合であっても、摺動部材５７とガイド部材５９との接触面積を大きくし、摺動及び係合を安定なものとすることができる。このように摺動部材５７がガイド部材５９に摺動可能に支持されることにより、第２電装箱５２に伴って第１電装箱５１を開閉することが可能となっている。
【００４０】
また、図２に示すように、背面側板２１の上側側面部２１ａの第１ヒンジ部３４側には、開口端側から第１電装箱５１の摺動方向に沿って切り欠かれた係合溝６１が形成されている。係合溝６１は、第１電装箱５１の摺動部材５７がガイド部材５９の端部５９ａ側に摺動したとき、係合突起５５が嵌め込まれ（図４参照）、端部５９ｂ側に摺動したとき、係合突起５５が係合溝６１から離脱する（図５参照）ように形成されている。
【００４１】
また、図２に示すように、第１電装箱５１の上側側面部５１ｂには、電装箱固定部材６７が配設されており、第１電装箱５１と背面側板２１とを固定することができる。なお、電装箱固定部材６７の詳細については後述する。
【００４２】
次に、本発明の電装箱５０の開閉動作について図４、図５に基づき説明する。図４（ａ）は、第１電装箱と背面側板とが係合されている状態を示す部分側面図であり、図４（ｂ）は、図４（ａ）を上方から見た平面図である。また、図５（ａ）は、第１電装箱と背面側板との係合が解除された状態を示す部分側面図であり、図５（ｂ）は、図５（ａ）を上方から見た平面図である。図１〜図３と共通する部分には共通する符号を付して説明を省略する。
【００４３】
まず、電装箱５０を開ける動作について説明する。図４（ａ）及び図４（ｂ）に示すように、電装箱５０を閉じた状態では、第１電装箱５１の摺動部材５７が第２電装箱５２のガイド部材５９の端部５９ａ側（第１の位置、図の左側）に配置しており、係合突起５５と係合溝６１とが係合し、電装箱５０の開閉がロックされている。また、上記の通り、高圧基板２５ａ〜２５ｄのコネクタ２７ａはそれぞれ作像駆動ユニット２３ａ〜２３ｄと接続されている。
【００４４】
この状態から、第１電装箱５１の内側面を掴んで白抜き矢印方向に引っ張ると、摺動部材５７が第２電装箱５２のガイド部材５９の端部５９ａから端部５９ｂ側（第２の位置）へ摺動し、コネクタ２７ａを作像駆動ユニット２３ａ〜２３ｄから脱離させると共に、第１電装箱５１の係合突起５５を背面側板２１の係合溝６１から脱離させることができる。
【００４５】
これにより、図５（ａ）及び図５（ｂ）に示すように、第１電装箱５１と背面側板２１との係合が解除される。そして、第１電装箱５１若しくは第２電装箱５２を装置背面側に回動させると互いに連れ回って、第１電装箱５１が第２電装箱５２と一体となって開閉可能となり、第１電装箱５１及び第２電装箱５２を開く（ロック解除する）ことができる。
【００４６】
次に、電装箱５０を閉じる動作について説明する。上記のようにして第１電装箱５１及び第２電装箱５２を開けた状態から、第１電装箱５１及び第２電装箱５２を背面側板２１側へ回動すると（図５（ａ）及び図５（ｂ）参照）、第１電装箱５１の係合突起５５が背面側板２１の係合溝６１の開口部と対向する位置に配置される。
【００４７】
この状態で、第１電装箱５１を図５（ａ）及び図５（ｂ）の白抜き矢印方向に押し込むと、第１電装箱５１の摺動部材５７が第２電装箱５２のガイド部材５９を端部５９ａ側へ摺動する。その結果、図４（ａ）及び図４（ｂ）に示すように、係合突起５５と係合溝６１とが係合すると共に、コネクタ２７ａが作像駆動ユニット２３ａ〜２３ｄと接続される。その後、電装箱固定部材６７により第１電装箱５１を背面側板２１に固定することができる。
【００４８】
なお、図４（ａ）に示すように、高圧基板２５ａ〜２５ｄに一端が接続された配線２７ｂ（一点鎖線）は、例えば、第１電装箱５１の左側側面部５１ｃ側で一つにまとめられた後、第１電装箱５１の下側側面部５１ｄ及び第２電装箱５２の上側側面部５２ｂに設けられた図示しない抜け穴等を、第１電装箱５１及び第２電装箱５２の左側側面部５１ｃ、５２ｃに沿って、貫通させ、その後、第２電装箱５２へ配設し、第２電装箱５２において電源基板３１ａや制御基板３１ｂと接続することができる。
【００４９】
また、配線２７ｂは、第１電装箱５１及び第２電装箱５２と共に連れ回って開閉可能であり、コネクタ２７ａの接続及び取り外し時に接続及び取り外される必要がないため、各々が個別に電源基板３１ａや制御基板３１ｂと接続されていてもよい。
【００５０】
図２に示すように、第１電装箱５１には上記した電装箱固定部材６７が設けられており、第１電装箱５１及び第２電装箱５２を閉じた後、電装箱固定部材６７により第１電装箱５１が背面側板２１と固定されるようになっている。図６（ａ）に電装箱固定部材により第１電装箱の背面側板に対する固定を解除したときの、図６（ｂ）に第１電装箱を背面側板に対して固定したときの、電装箱固定部材周辺の拡大斜視図を示す。図６（ａ）及び図６（ｂ）に示すように、第１電装箱５１の底面部５１ａ（図２参照）の上端部における右側側面部５１ｅ側に、折り曲がった矩形板状部材からなる電装箱固定部材６７が設けられている。
【００５１】
電装箱固定部材６７は、第１電装箱５１の底面部５１ａ（図６参照）に沿って設けられた支持部６７ａと、支持部６７ａの上端から背面側板２１側に向かって略水平に突設された固定部６７ｂと、接続部６７ｂの背面側板２１側端部から略垂直に上方に向かって立設され、且つその先端が背面側板２１側に突出する略Ｌ字状の引っ掛け部６７ｃと、から構成されている。
【００５２】
支持部６７ａの下端部には、取手６８が背面側板２１とは反対側に向かって突設されており、取手６８の左側端部上側には垂直方向に沿って、背面側板２１に設けられたガイド用突起７５と係合して電装箱固定部材６７を保持すると共に垂直方向の移動をガイドする案内溝６９が設けられている。また、支持部６７ａの上端部側には、後述する背面カバー７８（図７参照）に設けられた突出片７８ａ（図７参照）と係合可能な切り抜き孔７０が設けられている。
【００５３】
また、固定部６７ｂの引っ掛け部６７ｃ側の端部には、幅方向に沿って第１固定用部材７１が配設されている。第１固定用部材７１は、幅方向中央部に設けられた第１接続部７１ａと、両端部に設けられたビス７１ｂとから構成されている。また、引っ掛け部６７ｃの先端部の幅方向両端部の下面には、それぞれ背面側板２１に設けられた貫通孔７７に嵌合可能な突出片７３が設けられている。
【００５４】
一方、背面側板２１の第１固定用部材７１と下方から対向する位置には、第１固定用部材７１と接続される第２固定用部材７６が設けられている。第２固定用部材７６は、第１固定用部材７１の第１接続部７１ａが嵌め込まれる第２接続部７６ａと、ビス７１ｂが固定されるビス孔７６ｂとから構成されている。
【００５５】
これにより、第１電装箱５１及び第２電装箱５２を閉じ、第１電装箱５１の係合突起５５を背面側板２１の係合溝６１に係合させた後、取手６８を掴んで電装箱固定部材６７を下げると、引っ掛け部６７ｃの突出片７３が背面側板２１の貫通孔７７と嵌合すると共に固定部６７ｂの第１接続部７１ａが第２接続部７６ａと嵌合する。
【００５６】
その後、固定部６７ｂのビス７１ｂをビス孔７６ｂに固定することにより、第１電装箱５１を固定することができる。また、第２電装箱５２も同時に固定される。なお、第１接続部７１ａと第２接続部７６ａにそれぞれ配線２７ｂ等の配線を接続し、第１接続部７１ａと第２接続部７６ａとを接続することにより電気的な接続を行うこともできる。しかし、第１電装箱５１の背面側板２１への固定方法は、第１電装箱５１を固定可能であれば、特に限定されるものではなく、他の方法を用いることもできる。
【００５７】
また、図７は、背面カバーと第１電装箱との係合状態を示す図であり、図７（ａ）は、背面カバーを開けた状態を示す部分斜視図であり、図７（ｂ）、は背面カバーを閉めた状態を示す斜視図である。図２〜図６と共通する部分には共通する符号を付して説明を省略する。
【００５８】
背面カバー７８は、第１電装箱５１及び第２電装箱５２側に開口部を有する平たい箱状部材から成り、背面側板２１の左側側面部に回動可能に連結されている。背面カバー７８は、これを閉じたとき第１電装箱５１及び第２電装箱５２の開口部を覆うことができるよう形成されている。また、背面カバー７８の上側側面部における電装箱固定部材６７の支持部６７ａの切り抜き孔７０と対向する位置には、切り抜き孔７０に嵌め込まれる突出片７８ａが設けられている。
【００５９】
これにより、上記のようにして第１電装箱５１及び第２電装箱５２を閉じた後、第１突出片７８ａと切り抜き孔７０とを係合させると、背面カバー７８を閉じることができる。なお、背面カバー７８と背面側板２１との連結方法は、前述の背面側板２１と第２電装箱５２との連結方法のように、一方にピン、他方に係合孔を有するヒンジ部をそれぞれに設けて連結する方法を用いることができる。
【００６０】
上記の通り、電装箱５０を第１電装箱５１と第２電装箱５２から構成し、作像駆動ユニット２３ａ〜２３ｄとコネクタ２７ａを介して接続される高圧基板２５ａ〜２５ｄが配設された第１電装箱５１が、第２電装箱５２に対して摺動可能に支持されているため、高圧基板２５ａ〜２５ｄのコネクタ２７ａと作像駆動ユニット２３ａ〜２３ｄとの接続及び離脱が容易、且つ安全となる。
【００６１】
また、高圧基板２５と電源基板３１ａや制御基板３１ｂとの配線２７ｂの接続を外す必要がないため、かかる接続及び離脱がさらに容易且つ安全となる。また、かかるコネクタ２７ａの取り外しの際、作業者が高圧基板２５ａ〜２５ｄ、コネクタ２７ａや配線２７ｂに触れることを防止できるため、静電気の発生を防止することができる。そして、このように容易且つ安全に高圧基板２５ａ〜２５ｄの接続及び取り外しが可能となるため、作業の煩雑さを回避し、作業時間を短縮する等、作業性を向上することができる。
【００６２】
また、上記実施形態では、第１電装箱５１及び第２電装箱５２を片側支点として開閉可能としたため、より容易且つ安全に、作像駆動ユニット２３ａ〜２３ｄ等の内部部材にアクセスすることができる。
【００６３】
また、上記実施形態では、第１電装箱５１に係合突起５５を、背面側板２１に係合溝６１を設け、第１電装箱５１及び第２電装箱５２の開閉をロックすることとしたため、不意に第１電装箱５１及び第２電装箱５２が開いて、コネクタ２７ａが作像駆動ユニット２３ａ〜２３ｄから外れることを防止することができ、より安全となる。
【００６４】
加えて、コネクタ２７ａを外さないと第１電装箱５１及び第２電装箱５２を開けることができないため、より安全性が高められている。なお、係合突起５５及び係合溝６１の配置は上記実施形態に限定されるものではなく、適宜設定することができる。また、上記開閉ロックは、本実施形態に限定されるものではなく、例えば第１電装箱５１と背面側板２１とを上記した電装箱固定部材６７や、その他、ビス留め等によりロックすることもできる。
【００６５】
また、上記実施形態では、高圧基板２５ａ〜２５ｄを第１電装箱５１に配設したため、特にコネクタ２７ａの接続や離脱不良による装置本体の損傷を起こし易い高圧基板２５ａ〜２５ｄを、他の電装基板３１ａ、３１ｂから分離して取り外すことが可能となる。従って、一層容易且つ安全となり、効果的である。しかし、第１電装箱５１に配設される電装基板は高圧基板２５ａ〜２５ｄに特に限定されるものではなく、コネクタ２７ａを介して画像形成に用いられる構成部材と接続されるものであれば、特に限定されるものではない。また電装箱５０を構成する電装箱は、２つに限られるものではなく、３つ以上とすることもできる。
【００６６】
その他、本発明は上記実施形態に限定されず、本発明の趣旨を逸脱しない範囲で種々の変更が可能である。例えば、上記実施形態では、摺動部材５７及びガイド部材５９を２つずつ設けたが、第１電装箱５１が第２電装箱５２と摺動可能であれば、かかる構成に特に限定されるものではなく、その他、第１電装箱５１及び第２電装箱５２の一方に凹部、他方にこれと嵌合可能な凸部や突起等を設ける等、適宜設計することができる。また、その数量も特に限定されず、１つ若しくは３つ以上とすることもできる。また、第１電装箱５１により第２電装箱５２を摺動可能に支持することもできる。
【００６７】
また、上記実施形態では、摺動部材５７及びガイド部材５９は、それぞれ第１電装箱５１の開口端より装置本体背面側、及び第２電装箱５２の底面部５２ａより装置本体前面側に突出させたが、第１電装箱５１を第２電装箱５２に対してガイドすることができれば、これらは第１電装箱５１や第２電装箱５２の大きさや配置等によって適宜設定すればよく、必ずしも突出させる必要はない。
【００６８】
また、上記実施形態では、装置背面左側を回動支点として第１電装箱５１及び第２電装箱５２を水平方向に開閉可能としたが、かかる回動支点は特に限定されるものではなく、装置背面右側に設けてもよく、その他、上側若しくは下側に設け上下方向に開閉可能とすることも可能である。なお、上下方向に開閉可能とするときには、開けた状態のとき適宜支持部材等を用い、第１電装箱５１及び第２電装箱５２が開き過ぎないよう、若しくは閉じないよう支持することにより、作業性の向上を図ることもできる。
【００６９】
また、本発明の画像形成装置として、ここでは直接転写方式のタンデム型画像形成装置についてのみ示したが、その他、中間転写方式のタンデム型画像形成装置や、モノクロ画像形成装置、複写機やプリンタ等の他のタイプの画像形成装置にも適用できる。
【産業上の利用可能性】
【００７０】
本発明は、構成部材が作動することにより画像形成を行う画像形成装置において、前記構成部材と電気的に接続される接続端子を有する第１電装基板と、前記接続端子と電気的に接続される第２電装基板と、前記第１電装基板が配設された第１電装基板支持部材と、前記第２電装基板が配設されており、且つ前記第１電装基板支持部材を、前記接続端子が前記構成部材と接続する第１の位置と前記構成部材から取り外される第２の位置とに摺動可能に支持する第２電装基板支持部材と、が設けられたものである。
【００７１】
これにより、第１電装基板支持部材を摺動させるだけで、上記構成部材に対する第１電装基板の接続及び取り外しが可能となるため、かかる接続や取り外しの際、該電装基板から他の構成部材や電装基板等に接続された配線を取り外す必要がなく、作業者が第１電装基板、接続端子や配線に触れることがないため、静電気の発生を防止することができる。従って、上記構成部材に対する電装基板の接続及び取り外しが容易且つ安全となり、作業の煩雑さを回避し、作業時間を短縮する等、作業性を向上させることができる。
【００７２】
また、第２電装基板支持部材の一端を装置本体に開閉可能に軸支し、第１電装基板支持部材を第２電装基板支持部材と一体となって開閉することにより、片側支点で第１及び第２電装基板支持部材を開閉することができるため、より容易且つ安全に、上記構成部材等の内部部材にアクセスすることができる。また、第１電装基板支持部材が第１及び第２の位置にそれぞれ摺動することにより、第１及び第２電装基板支持部材の開閉をロック可能なロック機構を設けることにより、不意に第１電装基板支持部材及び第２電装基板支持部材が開いて、上記接続端子が構成部材から外れることを防止することができ、より安全となる。
【００７３】
また、ロック機構として、装置本体に設けられた係合溝と、第１電装基板支持部材に設けられ係合溝と係合可能な係合突起と、を用いることにより、上記接続端子を構成部材から外さないと第１電装基板支持部材及び第２電装基板支持部材を開けることができないため、より安全となる。
【００７４】
また、第１電装基板支持部材に、画像形成部に駆動電力を供給する高圧基板を配設することにより、特に接続や離脱不良による装置本体の損傷を起こし易い高圧基板の接続及び取り外しを、他の電装基板から分離し、高圧基板のみを容易且つ安全に接続及び取り外すことができるため、一層容易且つ安全となり、効果的である。
【図面の簡単な説明】
【００７５】
【図１】は、本発明の一例である画像形成装置の全体構成を示す概略図である。
【図２】は、本実施形態の画像形成装置に用いられる電装箱を示す装置本体背面側から見た平面図である。
【図３】は、第１電装箱と第２電装箱との係合部分を示す図であって、図３（ａ）は、部分平面図であり、図３（ｂ）は、図３（ａ）の左側から見た部分側面図である。
【図４】は、第１電装箱と背面側板とが係合している状態を示す図であって、図４（ａ）は、部分側面図であり、図４（ｂ）は、図４（ａ）を上方から見た平面図である。
【図５】は、第１電装箱と背面側板との係合が解除された状態を示す図であって、図５（ａ）は、部分側面図であり、図５（ｂ）は、図５（ａ）を上方から見た平面図である。
【図６】は、第１電装箱の背面側板に対する固定方法を示す図であり、図６（ａ）は、第１電装箱の固定が解除された状態を示す斜視図であり、図６（ｂ）は、第１電装箱が固定された状態を示す斜視図である。
【図７】は、背面カバーを示す図であり、図７（ａ）は背面カバーを開けた状態を示す斜視図であり、図７（ｂ）は背面カバーを閉めた状態を示す斜視図である。
【図８】は、従来の画像形成装置の背面側に配設された作像駆動ユニット、高圧基板や電装箱周辺を示す斜視図である。
【図９】は、電装箱と背面側板との連結状態を示す平面図である。
【図１０】は、電装箱が開いた状態を示す斜視図である。
【図１１】は、作像駆動ユニット、高圧基板や電装箱の配設状態を示す側面図である。
【図１２】は、作像駆動ユニット、高圧基板や電装箱の配設順序を示す側面図である。
【符号の説明】
【００７６】
１ａ〜１ｄ      感光体ドラム
３ａ〜３ｄ      現像ユニット
２０              前面側板
２１              背面側板
２３ａ〜２３ｄ    作像駆動ユニット
２５ａ〜２５ｄ    高圧基板（第１電装基板）
２７              接続部材
２７ａ            コネクタ（接続端子）
２７ｂ            配線
３１ａ            電源用基板（第２電装基板）
３１ｂ            制御基板（第２電装基板）
３３              電装箱
３４              第１ヒンジ部
３５              第２ヒンジ部
５０              電装箱
５１              第１電装箱（第１電装基板支持部材）
５２              第２電装箱（第２電装基板支持部材）
５５              係合突起（ロック機構）
５７              摺動部材
５９              ガイド部材
６１              係合溝（ロック機構）
６７              電装箱固定部材
７０              切り抜き孔
７１              第１固定用部材
７６              第２固定用部材
７８              背面カバー
１００      画像形成装置
Ｐａ〜Ｐｄ  画像形成部
【図１】
2009128562.tif 000003
【図２】
2009128562.tif 000004
【図３】
2009128562.tif 000005
【図４】
2009128562.tif 000006
【図５】
2009128562.tif 000007
【図６】
2009128562.tif 000008
【図７】
2009128562.tif 000009
【図８】
2009128562.tif 000010
【図９】
2009128562.tif 000011
【図１０】
2009128562.tif 000012
【図１１】
2009128562.tif 000013
【図１２】
2009128562.tif 000014